(57)【特許請求の範囲】
【請求項１】
湯水を散水面から散水するシャワーヘッドであって、
供給路を介して供給される湯水が通る第１の流路が内部に形成され、前記第１の流路に繋がる複数の散水孔が設けられた第１の散水面を一側に有する本体部と、
前記供給路を介して供給される湯水が通る第２の流路が内部に形成され、前記第２の流路に繋がる複数の散水孔が設けられた第２の散水面を前記一側に有する、前記本体部からそれぞれ延びる複数の延長部と、を備え、
前記シャワーヘッドが全体的に人間の手の形を有し、
前記複数の延長部は、それぞれ、前記一側に湾曲し、かつ有限の曲率半径を有する先端を有し、
前記シャワーヘッドを人間の頭髪内にさし入れた際に、前記第２の散水面のうち少なくとも１つが頭皮に対して垂直な方向を向く、シャワーヘッド。
【請求項２】
前記第１及び第２の流路を前記供給路に対して開閉するスイッチをさらに備える、請求項１に記載のシャワーヘッド。
【請求項３】
前記第１の流路を前記供給路から閉じるスイッチをさらに備える、請求項１または２に記載のシャワーヘッド。
【請求項４】
前記本体部と前記複数の延長部とは、同一の素材を用いて構成されることを特徴とする、請求項１から３のいずれか一項に記載のシャワーヘッド。
【発明の詳細な説明】
【技術分野】
【０００１】
本発明は、湯水を散水面から散水するシャワーヘッドに関する。
【背景技術】
【０００２】
水栓に接続されたホース等の供給路の先端に接続されるシャワーヘッドにより、水栓から供給される湯水をシャワー状に散水することができる（例えば、特許文献１）。シャワーヘッドは、湯水が散水される複数の散水孔が設けられたヘッド本体を備える。ここで、複数の散水孔は、通常、円形状或いは矩形状の領域（この領域を有する面を散水面と呼ぶ）に設けられ、散水面の形状に合わせてヘッド本体の形状が定められる。
【０００３】
例えば、洗髪後、シャワーヘッドを用いて湯水を散水し、直接頭皮に湯水を当てることで髪及び頭皮を効率良くすすぐことができる。しかし、通常の形状のシャワーヘッドでは、特に頭髪が長い場合、直接頭皮に湯水を当てるのは難しい。
【先行技術文献】
【特許文献】
【０００４】
【特許文献１】特開２０１１−２３９８４８号公報
【発明の概要】
【発明が解決しようとする課題】
【０００５】
本発明は、直接、頭皮に湯水を当てるのに好適なシャワーヘッドを提供することを課題とする。
【課題を解決するための手段】
【０００６】
本発明は、湯水を散水面から散水するシャワーヘッドであって、供給路を介して供給される湯水が通る第１の流路が内部に形成され、第１の流路に繋がる複数の散水孔が設けられた第１の散水面を一側に有する本体部と、供給路を介して供給される湯水が通る第２の流路が内部に形成され、第２の流路に繋がる複数の散水孔が設けられた第２の散水面を一側に有する、本体部からそれぞれ延びる複数の延長部と、を備え、前記シャワーヘッドが全体的に人間の手の形を有し、前記複数の延長部は、それぞれ、前記一側に湾曲し、かつ有限の曲率半径を有する先端を有し、前記シャワーヘッドを人間の頭髪内にさし入れた際に、前記第２の散水面のうち少なくとも１つが頭皮に対して垂直な方向を向くるシャワーヘッドである。
【０００７】
これによれば、供給路を介して湯水を供給することで、第１の流路を介して本体部の第１の散水面から湯水を散水することができ、また第２の流路を介して複数の延長部の第２の散水面から湯水を散水することもできる。複数の延長部は本体部からそれぞれ延びることで、第２の散水面を頭皮に向けて複数の延長部を頭髪内に指し入れることで、湯水を直接頭皮に当てることができる。これにより、頭皮及び頭皮周辺の毛髪に湯水が当たる。
【０００８】
本発明のシャワーヘッドは、複数の延長部は、それぞれ、一側に湾曲することを特徴とする。
【０００９】
これによれば、複数の延長部はそれぞれ一側に湾曲することで、複数の延長部を頭髪内に指し入れて第２の散水面のうちの多くの面を頭皮に垂直に向けることができ、湯水を直接頭皮に当てることができる。
【００１０】
本発明のシャワーヘッドは、複数の延長部は、それぞれ、有限の曲率半径を有する先端を有することを特徴とする。
【００１１】
これによれば、複数の延長部の先端が有限の曲率半径を有することで、先端を頭皮に当てても傷付けるおそれがない。
【００１２】
本発明のシャワーヘッドは、第１及び第２の流路を供給路に対して開閉するスイッチをさらに備える。
【００１３】
これによれば、スイッチにより第１及び第２の流路を供給路に対して開閉することで、本体部の第１の散水面及び複数の延長部の第２の散水面の一方又は両方から湯水を散水することができる。
【００１４】
本発明のシャワーヘッドは、第１の流路を供給路から閉じるスイッチをさらに備える。
【００１５】
これによれば、スイッチにより第１の流路を供給路から閉じることで、第２の流路を介して複数の延長部の第２の散水面のみから高い水圧で湯水を散水することができる。
【００１６】
本発明のシャワーヘッドは、本体部と複数の延長部とは、同一の素材を用いて構成されることを特徴とする。
【００１７】
これによれば、本体部と複数の延長部とは同一の素材を用いて構成されることで、それぞれの第１又は第２の流路を通る湯水により等しく熱膨張するため、破損のおそれが小さくなる。
【発明の効果】
【００１８】
本発明のシャワーヘッドによれば、直接、頭皮に湯水を当てることが可能となる。
【図面の簡単な説明】
【００１９】
【図１】図１は、シャワーヘッドの構成を示す図である。
【図２】図２は、シャワーヘッドの内部構成を示す断面図である。
【図３】図３は、シャワーヘッドの散水の切換えを示す断面図である。
【発明を実施するための形態】
【００２０】
以下、本発明の一実施形態について説明する。
【００２１】
図１に、本実施形態に係るシャワーヘッド１の構成を示す。図１（Ａ）、（Ｂ）、及び（Ｃ）は、それぞれ側面視、正面視、及び上面視においてその構成を示す。また、図２に、シャワーヘッド１の断面構成を示す。図２（Ａ）は、図１（Ｂ）における基準線ＡＡに関する断面図であり、図２（Ｂ）は、図１（Ｂ）における基準線ＢＢに関する断面図である。シャワーヘッド１は、湯水を散水面からシャワー状に散水する浴室用の水栓器具の１つであり、握持部１０、切り換えスイッチ１４、本体部２０、及び延長部３１，３２，３３，３４，３５を含んで構成される。
【００２２】
握持部１０は、ユーザがこれを手で握ることによりシャワーヘッド１を支持するための部分である。握持部１０は、一軸方向（図１（Ａ）及び図１（Ｂ）における上下方向）を長手とし、後述する本体部２０に接続する先端から基端まで連続的に手前側（図１（Ａ）における右側及び図１（Ｂ）における手前側）に湾曲するとともに先細りとなる形状を有する。
【００２３】
握持部１０の内部には、基端から先端に貫通する流路１０ａが形成され、その流路１０ａを介して後述する本体部２０及び延長部３１，３２，３３，３４，３５に湯水が供給される。握持部１０の基端には、基端に対して小径の突出部１２が形成され、突出部１２を水栓に接続されたホースの先端に嵌入れ、固定具（不図示）により固定することで、流路１０ａがホースの流路と連続する。握持部１０の先端近傍には、流路１０ａを内側に含んで一軸方向に直交する方向（図１（Ａ）における左右方向）に貫通する、円形断面を有する孔部１６が形成されている。
【００２４】
切り換えスイッチ１４は、握持部１０の流路１０ａを後述する本体部２０の第１及び第２の流路２０ｂ，２０ｃに切り換え接続する部材である。切り換えスイッチ１４は、図２（Ａ）より分かるように、図面左右方向を長手とする円柱形状を有し、図面上下方向に貫通する２つの孔部１４ａ，１４ｂが図面左右方向に並んで形成されている。切り換えスイッチ１４は、握持部１０の孔部１６内にユーザの手指により図面左右方向に押引可能に嵌め入れられる。切り換えスイッチ１４による流路の切換えについては後述する。
【００２５】
本体部２０は、湯水をシャワー状に散水する部分であり、本体及び散水板２２を有する。本体は、握持部１０の厚み（図１（Ａ）における左右方向の幅）に等しい厚みを有する略円筒形状を有し、手前側（図２（Ａ）における右側）に開く空間２０ａ及びこれに繋がる第１の流路２０ｂ並びに空間２０ａ及び第１の流路２０ｂと独立に本体内を一軸方向に貫通する第２の流路２０ｃが形成されている。本体部２０は、握持部１０の先端に一体的に接続され、第１の流路２０ｂ及び第２の流路２０ｃに握持部１０の流路１０ａを介して供給される湯水が通る。本体部２０の手前側の空間２０ａを挟む内壁には、表面に雌ネジ（不図示）が設けられた段部が形成されている。
【００２６】
散水板２２は、円板形状を有し、その内側の円形状の領域に複数の散水孔が形成され、一側（図１（Ａ）における左側）に外面に雄ネジ（不図示）が設けられた円環状の凸部が形成されている。散水板２２は、円環状の凸部を本体の段部に嵌め入れ、凸部の雄ネジを段部の雌ネジに螺合することで本体に固定される。それにより空間２０ａが閉じるとともに、散水板２２の複数の散水孔が空間２０ａを介して第１の流路２０ｂに繋がる。
【００２７】
延長部３１，３２，３３，３４，３５は、湯水をシャワー状に散水する本体部２０と独立の部分である。延長部３１，３２，３３，３４，３５は、一軸方向を長手とし、図２（Ｂ）より分かるように半楕円形状の断面を有する胴部、手前側（図１（Ａ）及び図２（Ａ）における右側）に湾曲する先端を有する。胴部の内部には、湯水が通る第３の流路３１ｂ，３２ｂ，３３ｂ，３４ｂ，３５ｂが内部に形成され、これらに繋がる複数の散水孔が設けられた第２の散水面３１ａ，３２ａ，３３ａ，３４ａ，３５ａを一側に有する。延長部３１，３２，３３，３４，３５は、本体部２０の上端（図１（Ｂ）における上側端部）に一体的に幅方向（図１（Ｂ）における左右方向）に並んで接続される。それにより、シャワーヘッド１全体として手の形をなすとともに、第３の流路３１ｂ，３２ｂ，３３ｂ，３４ｂ，３５ｂが本体部２０の第２の流路２０ｃに接続し、その内部に握持部１０の流路１０ａを介して供給される湯水が通る。
【００２８】
なお、延長部３１，３２，３３，３４，３５のそれぞれの先端の湾曲率は、人、特に大人の頭部の湾曲率におよそ等しいことが望ましい。それにより、延長部３１，３２，３３，３４，３５を頭髪内に指し入れて第２の散水面３１ａ，３２ａ，３３ａ，３４ａ，３５ａのうちの多くの面を頭皮に垂直に向けることができ、湯水を直接頭皮に当てることができる。
【００２９】
また、延長部３１，３２，３３，３４，３５のそれぞれの先端は、有限の曲率半径を有する、すなわち角部を有さない。それにより、先端を頭皮に当てても傷付けるおそれがない。
【００３０】
シャワーヘッド１の散水の切り換えの原理について示す。
【００３１】
図３（Ａ）に示すように、ユーザが手指で切り換えスイッチ１４を手前から奥に（図面右から左に）又は奥から手前に（図面左から右に）押すことで、切り換えスイッチ１４の２つの孔部１４ａ，１４ｂを握持部１０の流路１０ａに合わせるとともに、本体部２０の第１及び第２の流路２０ｂ，２０ｃにそれぞれ合わせる。それにより、第１及び第２の流路２０ｂ，２０ｃがともに流路１０ａに接続され、流路１０ａを介して供給される湯水が、第１の流路２０ｂを介して本体部２０の空間２０ａに供給されて、図中黒塗り矢印を用いて示すように第１の散水面２２ａから散水されるととともに、第２の流路２０ｃを介して延長部３１，３２，３３，３４，３５の第３の流路３１ｂ，３２ｂ，３３ｂ，３４ｂ，３５ｂにそれぞれ供給されて、図中黒塗り矢印を用いて示すように第２の散水面３１ａ，３２ａ，３３ａ，３４ａ，３５ａから散水される。
【００３２】
次に、図３（Ｂ）に示すように、ユーザが手指で切り換えスイッチ１４を奥から手前に（図面左から右に）押すことで、切り換えスイッチ１４の孔部１４ｂのみを握持部１０の流路１０ａに合わせるとともに、本体部２０の第１の流路２０ｂに合わせる。それにより、第２の流路２０ｃが切り換えスイッチ１４により塞がれ、第１の流路２０ｂのみが流路１０ａに接続され、流路１０ａを介して供給される湯水が、第１の流路２０ｂを介して本体部２０の空間２０ａに供給されて、図中黒塗り矢印を用いて示すように第１の散水面２２ａのみから散水される。
【００３３】
最後に、図３（Ｃ）に示すように、ユーザが手指で切り換えスイッチ１４を手前から奥に（図面右から左に）押すことで、切り換えスイッチ１４の孔部１４ａのみを握持部１０の流路１０ａに合わせるとともに、本体部２０の第２の流路２０ｃに合わせる。それにより、第１の流路２０ｂが切り換えスイッチ１４により塞がれ、第２の流路２０ｃのみが流路１０ａに接続され、流路１０ａを介して供給される湯水が、第２の流路２０ｃを介して延長部３１，３２，３３，３４，３５の第３の流路３１ｂ，３２ｂ，３３ｂ，３４ｂ，３５ｂに供給されて、図中黒塗り矢印を用いて示すように第２の散水面３１ａ，３２ａ，３３ａ，３４ａ，３５ａのみから散水される。
【００３４】
上述のように、切り換えスイッチ１４により第１及び第２の流路２０ｂ，２０ｃを握持部１０の流路１０ａに切り換えて接続することで、本体部２０の第１の散水面２２ａ及び延長部３１，３２，３３，３４，３５の第２の散水面３１ａ，３２ａ，３３ａ，３４ａ，３５ａの一方又は両方から湯水を散水することができる。
【００３５】
なお、切り換えスイッチ１４により、第２の流路２０ｃを常時、握持部１０の流路１０ａに接続し、第１の流路２０ｂのみを流路１０ａに開閉することとしてもよい。それにより、第２の流路２０ｃ及び第３の流路３１ｂ，３２ｂ，３３ｂ，３４ｂ，３５ｂを介して複数の延長部３１，３２，３３，３４，３５の第２の散水面３１ａ，３２ａ，３３ａ，３４ａ，３５ａのみから高い水圧で湯水を散水することができる。
【００３６】
以上詳細に説明したように、本実施形態に係るシャワーヘッド１は、水栓からホース、握持部１０の流路１０ａを介して供給される湯水が通る第１の流路２０ｂが内部に形成され、第１の流路２０ｂに繋がる複数の散水孔が設けられた第１の散水面２２ａを一側に有する本体部２０、及び水栓からホース、握持部１０の流路１０ａを介して供給される湯水が通る第３の流路３１ｂ，３２ｂ，３３ｂ，３４ｂ，３５ｂが内部に形成され、これらに繋がる複数の散水孔が設けられた第２の散水面３１ａ，３２ａ，３３ａ，３４ａ，３５ａを一側に有する、本体部２０からそれぞれ延びる複数の延長部３１，３２，３３，３４，３５を含んで構成される。これによれば、握持部１０の流路１０ａを介して湯水を供給することで、第１の流路２０ｂを介して本体部２０の第１の散水面２２ａから湯水を散水することができ、また第２の流路２０ｃ及び第３の流路３１ｂ，３２ｂ，３３ｂ，３４ｂ，３５ｂを介して複数の延長部３１，３２，３３，３４，３５の第２の散水面３１ａ，３２ａ，３３ａ，３４ａ，３５ａから湯水を散水することもできる。複数の延長部３１，３２，３３，３４，３５が本体部２０からそれぞれ一軸方向に延びることで、第２の散水面３１ａ，３２ａ，３３ａ，３４ａ，３５ａを頭皮に向けて複数の延長部３１，３２，３３，３４，３５を頭髪内に指し入れることにより、湯水を直接頭皮に当てることができる。
【００３７】
なお、本実施形態に係るシャワーヘッド１においては、本体部２０と延長部３１，３２，３３，３４，３５とは、例えば樹脂などの同一の素材を用いて構成されるものとする。それにより、本体部２０と延長部３１，３２，３３，３４，３５とは、それぞれの流路を通る湯水により等しく熱膨張するため、破損のおそれが小さくなる。
【００３８】
また、本実施形態のシャワーヘッド１では、延長部の数は５としたが、その数は任意であり、本体部２０の大きさ及び形状と延長部の大きさ及び形状との関係より適当な２以上の数とするとよい。
【００３９】
また、本実施形態のシャワーヘッド１では、切り換えスイッチ１４により本体部２０からの散水と延長部３１，３２，３３，３４，３５からの散水とを切り換えることとしたが、さらに延長部３１，３２，３３，３４，３５の一部からの散水を切り換えることとしてもよい。
【産業上の利用可能性】
【００４０】
本発明のシャワーヘッドは、直接、頭皮に湯水を当てるのに好適である。
【符号の説明】
【００４１】
１    シャワーヘッド
１０    握持部
１０ａ  流路
１２    突出部
１４    スイッチ
１４ａ  孔部
１４ｂ  孔部
１６    孔部
２０    本体部
２０ａ  空間
２０ｂ  第１の流路
２０ｃ  第２の流路
２２    散水板
２２ａ  散水面
３１    延長部
３１ａ  散水面
３１ｂ  第３の流路
３２    延長部
３２ａ  散水面
３２ｂ  第３の流路
３３    延長部
３３ａ  散水面
３３ｂ  第３の流路
３４    延長部
３４ａ  散水面
３４ｂ  第３の流路
３５    延長部
３５ａ  散水面
３５ｂ  第３の流路
【図１】
0006899414.tif 000002
【図２】
0006899414.tif 000003
【図３】
0006899414.tif 000004